(57)【要約】      （修正有）【課題】安定かつ効率的な給電を行うことができ、ユーザの視覚体験を向上させるスリープとフェイドアウト機能を有する照明器具制御回路及び照明器具を提供する。【解決手段】照明器具制御回路は整流ユニットと、電気エネルギー処理ユニットと、光源制御ユニットと、を備える。整流ユニットは、交流電源が出力した第１交流信号が入力され、第１交流信号を第１直流信号に整流する。電気エネルギー処理ユニットは、第１直流信号に対して電圧安定化処理及びフィルタ処理を行った後に第２直流信号を得て、発光モジュールに給電する。光源制御ユニットは、発光モジュールの継続発光時間を記録し、発光モジュールの継続発光時間が予め設定された定刻時間以上であることが検出された場合、第２直流信号における電流をゼロになるまで徐々に減少させるように制御し、発光モジュールの発光輝度を予め設定された時間内に消させる。【選択図】図１
0003231207.tif 000002
【実用新案登録請求の範囲】
【請求項１】
スリープとフェイドアウト機能を有する照明器具制御回路であって、
交流電源に接続され、前記交流電源が出力した第１交流信号が入力され、前記第１交流信号を第１直流信号に整流するように構成される整流ユニットと、
前記整流ユニット及び発光モジュールに接続され、前記第１直流信号に対して電圧安定化処理及びフィルタ処理を行った後に第２直流信号を得て、前記発光モジュールに給電するように構成される電気エネルギー処理ユニットと、
前記電気エネルギー処理ユニットに接続され、定刻制御信号に応じて前記発光モジュールの継続発光時間を記録し、前記発光モジュールの継続発光時間が予め設定された定刻時間以上であることが検出された場合、前記第２直流信号における電流をゼロになるまで徐々に減少させるように制御し、前記発光モジュールの発光輝度を予め設定された時間内に消させるように構成される光源制御ユニットと、を備える、
ことを特徴とする照明器具制御回路。
【請求項２】
前記整流ユニットは、
第１可変抵抗器と、第１変圧器と、第２変圧器と、第１抵抗と、第２抵抗と、第３抵抗と、第１コンデンサと、第２コンデンサと、第３コンデンサと、第１インダクタと、整流ブリッジと、を備え、
ここで、前記第１可変抵抗器の第１端と前記第１変圧器の一次巻線の第１端とは、共に前記交流電源の活線出力端に接続され、前記第１可変抵抗器の第２端と前記第１変圧器の二次巻線の第１端とは、共に前記交流電源の中性線出力端に接続され、前記第１変圧器の一次巻線の第２端と前記第１抵抗の第１端と前記第１コンデンサの第１端とは、共に前記第２変圧器の一次巻線の第１端に接続され、前記第１変圧器の二次巻線の第２端と前記第２抵抗の第１端と前記第１コンデンサの第２端とは、共に前記第２変圧器の二次巻線の第１端に接続され、前記第１抵抗の第２端は、前記第２抵抗の第２端に接続され、
前記第２変圧器の一次巻線の第２端は、前記整流ブリッジの正極入力端に接続され、前記第２変圧器の二次巻線の第２端は、前記整流ブリッジの負極入力端に接続され、
前記整流ブリッジの出力端と前記第１インダクタの第１端と前記第２コンデンサの第１端とは、共に前記第３抵抗の第１端に接続され、前記第１インダクタの第２端と前記第３抵抗の第２端と前記第３コンデンサの第１端とは、共に前記電気エネルギー処理ユニットに接続され、前記第２コンデンサの第２端と第３コンデンサの第２端とは共にグランドに接続されている
ことを特徴とする請求項１に記載の照明器具制御回路。
【請求項３】
前記電気エネルギー処理ユニットは、
第１ダイオードと、第２ダイオードと、第３ダイオードと、第２インダクタと、第３変圧器と、第４コンデンサと、第４抵抗と、を備え、
前記第１ダイオードのカソードと、前記第２ダイオードのカソードと、前記第３ダイオードのカソードと、前記第４コンデンサの第１端と、前記第４抵抗の第１端と、前記第３変圧器の一次巻線の第１端とは、共に前記整流ユニットに接続されており、
前記第１ダイオードのアノードと、前記第２ダイオードのアノードと、前記第３ダイオードのアノードと、前記第２インダクタの第１端とは、共に前記光源制御ユニットに接続され、前記第２インダクタの第２端と第４コンデンサの第２端と前記第４抵抗の第２端とは、共に前記第３変圧器の二次巻線の第１端に接続され、
前記第３変圧器の一次巻線の第２端は、前記発光モジュールの正極入力端に接続され、前記第３変圧器の二次巻線の第２端は前記発光モジュールの負極入力端に接続されている、
ことを特徴とする請求項１に記載の照明器具制御回路。
【請求項４】
前記整流ユニットと前記電気エネルギー処理ユニットとの間に接続され、前記第１直流信号を昇圧処理するように構成される昇圧ユニット、をさらに備える、ことを特徴とする請求項１に記載の照明器具制御回路。
【請求項５】
前記昇圧ユニットは、
昇圧制御チップと、第３インダクタと、第１スイッチドランジスタと、第４ダイオードと、第５ダイオードと、第６ダイオードと、第７ダイオードと、第８ダイオードと、第５抵抗と、第６抵抗と、第７抵抗と、第８抵抗と、第９抵抗と、第１０抵抗と、第１１抵抗と、第１２抵抗と、第１３抵抗と、第１４抵抗と、第１５抵抗と、第５コンデンサと、第６コンデンサと、第７コンデンサと、第８コンデンサと、第９コンデンサと、第１０コンデンサと、第１１コンデンサと、を備え、
ここで、前記第３インダクタの第１端は、前記昇圧ユニットの電源入力端であり、前記第４ダイオードのアノードと、前記第５ダイオードのアノードと、前記第６ダイオードのアノードと、前記第１スイッチドランジスタの第１導通端とは、共に前記第３インダクタの第２端に接続され、前記第５抵抗の第１端と前記第７ダイオードのアノードとは、共に前記第１スイッチドランジスタの制御端に接続され、前記第５抵抗の第２端と、前記第７ダイオードのカソードと、前記第８ダイオードのカソードと、前記第５コンデンサの第１端と、前記昇圧制御チップの電源入力ピンとは、共に第１直流電源に接続され、前記第５コンデンサの第２端はグランドに接続され、
前記第１スイッチドランジスタの第２導通端と、前記第８ダイオードのアノードと、前記第６コンデンサの第１端とは、共に前記昇圧制御チップのスイッチ制御ピンに接続され、前記第６抵抗の第１端と前記第７抵抗の第１端とは、共に前記昇圧制御チップのチップセレクト制御ピンに接続され、前記昇圧制御チップの接地ピンはグランドに接続され、
前記第６コンデンサの第２端と、前記第６抵抗の第２端と、前記第７抵抗の第２端と、前記第１３抵抗の第１端と、前記第８コンデンサの第１端と、前記第７コンデンサの第１端とは共にグランドに接続され、
前記第４ダイオードのカソードと、前記第５ダイオードのカソードと、前記第６ダイオードのカソードと、前記第８抵抗の第１端と、前記第１０抵抗の第１端と、前記第７コンデンサの第２端とは、共に接続されて前記昇圧ユニットの電源出力端を形成し、
前記第８抵抗の第２端は、前記第９抵抗の第１端に接続され、前記第１０抵抗の第２端は、前記第１１抵抗の第１端に接続され、前記第９抵抗の第２端と前記第１２抵抗の第１端と前記第９コンデンサの第１端とは、共に前記昇圧制御チップの過電圧保護ピンに接続され、前記第１２抵抗の第２端と前記第９コンデンサの第２端とは共にグランドに接続され、
前記第１１抵抗の第２端と前記第１３抵抗の第２端と前記第８コンデンサの第２端とは、共に前記昇圧制御チップの電圧フィードバックピンに接続され、
前記第１４抵抗の第１端と前記第１０コンデンサの第１端とは、共に前記昇圧制御チップの電圧補償制御ピンに接続され、前記第１４抵抗の第２端は、前記第１１コンデンサの第１端に接続され、前記第１１コンデンサの第２端と第１０コンデンサの第２端とは共にグランドに接続され、
前記第１５抵抗の第１端は、前記昇圧制御チップの温度調整ピンに接続され、前記第１５抵抗の第２端はグランドに接続され、
前記昇圧ユニットの電源入力端は前記整流ユニットに接続され、前記昇圧ユニットの電源出力端は前記電気エネルギー処理ユニットに接続されている、
ことを特徴とする請求項４に記載の照明器具制御回路。
【請求項６】
前記光源制御ユニットは、
光源制御チップと、第１２コンデンサと、第１３コンデンサと、第１６抵抗と、第１７抵抗と、第１８抵抗と、第１９抵抗と、第２０抵抗と、第２１抵抗と、第２２抵抗と、第９ダイオードと、第２スイッチドランジスタと、を備え、
ここで、前記光源制御チップの接地ピンと、前記第１６抵抗の第１端と、前記第１７抵抗の第１端と、前記第１２コンデンサの第１端とは共にグランドに接続され、
前記第１６抵抗の第２端と、前記第１２コンデンサの第２端と、前記第１８抵抗の第１端とは、共に前記光源制御チップの調光制御ピンに接続され、前記第１８抵抗の第２端は、定刻制御信号が入力され、
前記第１７抵抗の第２端は、前記光源制御チップの電力配置ピンに接続され、
前記光源制御チップの電源入力ピンと前記第１３コンデンサの第１端とは、共に第２直流電源に接続され、前記第１３コンデンサの第２端はグランドに接続され、
前記第２スイッチドランジスタの第１導通端は、前記光源制御チップのスイッチ制御ピンに接続され、前記第１９抵抗の第１端と前記第２０抵抗の第１端と前記第２１抵抗の第１端とは、共に前記光源制御チップのチップセレクト制御ピンに接続され、前記第１９抵抗の第２端と前記第２０抵抗の第２端と前記第２１抵抗の第２端とは共にグランドに接続され、
前記第９ダイオードのカソードと前記第２２抵抗の第１端とは、共に前記光源制御チップのスレッショルドトリガピンに接続され、前記第９ダイオードのアノードと前記第２２抵抗の第２端とは、共に前記第２スイッチドランジスタの制御端に接続され、前記第２スイッチドランジスタの第２導通端は、前記電気エネルギー処理ユニットに接続されている
ことを特徴とする請求項１に記載の照明器具制御回路。
【請求項７】
ユーザのキー信号に応じて、オン信号またはオフ信号を生成するように構成される信号受信ユニットと、
前記信号受信ユニット及び前記光源制御ユニットに接続され、前記オン信号に応じて起動制御信号を生成するか、または前記オフ信号に応じて前記定刻制御信号を生成するように構成される信号変換ユニットと、をさらに備え、
前記光源制御ユニットは、前記定刻制御信号に応じて前記発光モジュールの継続発光時間を記録するために使用され、前記発光モジュールの継続発光時間が予め設定された定刻時間以上であることが検出された場合、前記第２直流信号における電流をゼロになるまで徐々に減少させるように制御し、前記発光モジュールの発光輝度を予め設定された時間内に消させ、または前記起動制御信号に応じて前記発光モジュールを予め設定された発光輝度に従って発光させるように構成される、
ことを特徴とする請求項１に記載の照明器具制御回路。
【請求項８】
給電電源及び前記光源制御ユニットに接続され、前記給電電源が出力した電気エネルギーの電圧を安定化処理し、そして前記光源制御ユニットに給電するように構成される第１給電ユニットと、
前記給電電源及び前記信号受信ユニットに接続され、前記給電電源が出力した電気エネルギーの電圧を安定化処理し、そして前記信号受信ユニットに給電するように構成される第２給電ユニットと、をさらに備える、
ことを特徴とする請求項７に記載の照明器具制御回路。
【請求項９】
前記発光モジュールの給電回路に直列に接続され、トリガ信号を受信した後に導通して前記発光モジュールを通電して発光させるように構成されるスイッチユニット、をさらに備えることを特徴とする請求項１に記載の照明器具制御回路。
【請求項１０】
請求項１〜９のいずれか一項に記載の照明器具制御回路と、前記照明器具制御回路に接続されている発光モジュールと、備えることを特徴とする照明器具。
【考案の詳細な説明】
【技術分野】
【０００１】
本出願は光源制御技術の分野に属し、特にスリープとフェイドアウト機能を有する照明器具制御回路及び照明器具に関する。
【背景技術】
【０００２】
人々の生活レベルが向上するとともに、各種の照明器具はすでに人々の生活の中で広く普及し、照明器具は制造コストが安くて、使用寿命が長いという利点があるだけでなく、各種の色の光を出して多機能の用途を実現することができ、人々の各種の視覚ニーズを満たすことができる。照明器具が異なる工業技術分野に適用される時に、照明器具に対して異なる視覚調光制御を行う必要があるため、照明器具の調光性能は照明器具の発光性能に対して極めて重要な促進作用があり、照明器具の調光性能の適用範囲を向上させる。
【０００３】
しかしながら、従来技術の照明器具は、調光を行う過程に、技術者は照明器具に対して瞬間点灯又は瞬間消灯の２つの状態しか行うことができず、例えば照明器具の発光状態を瞬間消灯すると、このような照明器具の瞬間消灯の方式はユーザに瞬間的な視覚落差を与え、ユーザの視覚に大きな視覚衝撃を形成することがある。そのため、従来技術の照明器具はオフする過程に輝度を適応調整することができなく、ユーザの視覚体験を低下させ、実用価値が低い。
【考案の概要】
【考案が解決しようとする課題】
【０００４】
そこで、本出願の実施例は、スリープとフェイドアウト機能を有する照明器具制御回路及び照明器具を提供し、従来技術方案の照明器具がオフ瞬間に適応的、柔軟な調整を実現することができなく、照明器具がオフ瞬間にユーザに良くない視覚的観賞効果を与え、ユーザのハイエンドの視覚体験ニーズを満たすことが難しいという問題を解決することを目的とする。
【課題を解決するための手段】
【０００５】
本出願の実施例の第１の態様は、スリープとフェイドアウト機能を有する照明器具制御回路を提供し、
交流電源に接続され、前記交流電源が出力した第１交流信号が入力され、前記第１交流信号を第１直流信号に整流するように構成される整流ユニットと、
前記整流ユニット及び発光モジュールに接続され、前記第１直流信号に対して電圧安定化処理及びフィルタ処理を行った後に第２直流信号を得て、前記発光モジュールに給電するように構成される電気エネルギー処理ユニットと、
前記電気エネルギー処理ユニットに接続され、定刻制御信号に応じて前記発光モジュールの継続発光時間を記録し、前記発光モジュールの継続発光時間が予め設定された定刻時間以上であることが検出された場合、前記第２直流信号における電流をゼロになるまで徐々に減少させるように制御し、前記発光モジュールの発光輝度を予め設定された時間内に消させるように構成される光源制御ユニットと、を備える。
【０００６】
一つの実施例において、前記整流ユニットは、
第１可変抵抗器と、第１変圧器と、第２変圧器と、第１抵抗と、第２抵抗と、第３抵抗と、第１コンデンサと、第２コンデンサと、第３コンデンサと、第１インダクタと、整流ブリッジと、を備え、
ここで、前記第１可変抵抗器の第１端と前記第１変圧器の一次巻線の第１端とは、共に前記交流電源の活線出力端に接続され、前記第１可変抵抗器の第２端と前記第１変圧器の二次巻線の第１端とは、共に前記交流電源の中性線出力端に接続され、前記第１変圧器の一次巻線の第２端と前記第１抵抗の第１端と前記第１コンデンサの第１端とは、共に前記第２変圧器の一次巻線の第１端に接続され、前記第１変圧器の二次巻線の第２端と前記第２抵抗の第１端と前記第１コンデンサの第２端とは、共に前記第２変圧器の二次巻線の第１端に接続され、前記第１抵抗の第２端は、前記第２抵抗の第２端に接続され、
前記第２変圧器の一次巻線の第２端は、前記整流ブリッジの正極入力端に接続され、前記第２変圧器の二次巻線の第２端は、前記整流ブリッジの負極入力端に接続され、
前記整流ブリッジの出力端と前記第１インダクタの第１端と前記第２コンデンサの第１端とは、共に前記第３抵抗の第１端に接続され、前記第１インダクタの第２端と前記第３抵抗の第２端と前記第３コンデンサの第１端とは、共に前記電気エネルギー処理ユニットに接続され、前記第２コンデンサの第２端と第３コンデンサの第２端とは共にグランドに接続されている。
【０００７】
一つの実施例において、前記電気エネルギー処理ユニットは、
第１ダイオードと、第２ダイオードと、第３ダイオードと、第２インダクタと、第３変圧器と、第４コンデンサと、第４抵抗と、を備え、
前記第１ダイオードのカソードと、前記第２ダイオードのカソードと、前記第３ダイオードのカソードと、前記第４コンデンサの第１端と、前記第４抵抗の第１端と、前記第３変圧器の一次巻線の第１端とは、共に前記整流ユニットに接続されており、
前記第１ダイオードのアノードと、前記第２ダイオードのアノードと、前記第３ダイオードのアノードと、前記第２インダクタの第１端とは、共に前記光源制御ユニットに接続され、前記第２インダクタの第２端と第４コンデンサの第２端と前記第４抵抗の第２端とは、共に前記第３変圧器の二次巻線の第１端に接続され、
前記第３変圧器の一次巻線の第２端は、前記発光モジュールの正極入力端に接続され、前記第３変圧器の二次巻線の第２端は前記発光モジュールの負極入力端に接続されている。
【０００８】
一実施例においては、前記整流ユニットと前記電気エネルギー処理ユニットとの間に接続され、前記第１直流信号を昇圧処理するように構成される昇圧ユニット、をさらに備える。
【０００９】
一実施例においては、前記昇圧ユニットは、
昇圧制御チップと、第３インダクタと、第１スイッチドランジスタと、第４ダイオードと、第５ダイオードと、第６ダイオードと、第７ダイオードと、第８ダイオードと、第５抵抗と、第６抵抗と、第７抵抗と、第８抵抗と、第９抵抗と、第１０抵抗と、第１１抵抗と、第１２抵抗と、第１３抵抗と、第１４抵抗と、第１５抵抗と、第５コンデンサと、第６コンデンサと、第７コンデンサと、第８コンデンサと、第９コンデンサと、第１０コンデンサと、第１１コンデンサと、を備え、
ここで、前記第３インダクタの第１端は、前記昇圧ユニットの電源入力端であり、前記第４ダイオードのアノードと、前記第５ダイオードのアノードと、前記第６ダイオードのアノードと、前記第１スイッチドランジスタの第１導通端とは、共に前記第３インダクタの第２端に接続され、前記第５抵抗の第１端と前記第７ダイオードのアノードとは、共に前記第１スイッチドランジスタの制御端に接続され、前記第５抵抗の第２端と、前記第７ダイオードのカソードと、前記第８ダイオードのカソードと、前記第５コンデンサの第１端と、前記昇圧制御チップの電源入力ピンとは、共に第１直流電源に接続され、前記第５コンデンサの第２端はグランドに接続され、
前記第１スイッチドランジスタの第２導通端と、前記第８ダイオードのアノードと、前記第６コンデンサの第１端とは、共に前記昇圧制御チップのスイッチ制御ピンに接続され、前記第６抵抗の第１端と前記第７抵抗の第１端とは、共に前記昇圧制御チップのチップセレクト制御ピンに接続され、前記昇圧制御チップの接地ピンはグランドに接続され、
前記第６コンデンサの第２端と、前記第６抵抗の第２端と、前記第７抵抗の第２端と、前記第１３抵抗の第１端と、前記第８コンデンサの第１端と、前記第７コンデンサの第１端とは共にグランドに接続され、
前記第４ダイオードのカソードと、前記第５ダイオードのカソードと、前記第６ダイオードのカソードと、前記第８抵抗の第１端と、前記第１０抵抗の第１端と、前記第７コンデンサの第２端とは、共に接続されて前記昇圧ユニットの電源出力端を形成し、
前記第８抵抗の第２端は、前記第９抵抗の第１端に接続され、前記第１０抵抗の第２端は、前記第１１抵抗の第１端に接続され、前記第９抵抗の第２端と前記第１２抵抗の第１端と前記第９コンデンサの第１端とは、共に前記昇圧制御チップの過電圧保護ピンに接続され、前記第１２抵抗の第２端と前記第９コンデンサの第２端とは共にグランドに接続され、
前記第１１抵抗の第２端と前記第１３抵抗の第２端と前記第８コンデンサの第２端とは、共に前記昇圧制御チップの電圧フィードバックピンに接続され、
前記第１４抵抗の第１端と前記第１０コンデンサの第１端とは、共に前記昇圧制御チップの電圧補償制御ピンに接続され、前記第１４抵抗の第２端は、前記第１１コンデンサの第１端に接続され、前記第１１コンデンサの第２端と第１０コンデンサの第２端とは共にグランドに接続され、
前記第１５抵抗の第１端は、前記昇圧制御チップの温度調整ピンに接続され、前記第１５抵抗の第２端はグランドに接続され、
前記昇圧ユニットの電源入力端は前記整流ユニットに接続され、前記昇圧ユニットの電源出力端は前記電気エネルギー処理ユニットに接続されている。
【００１０】
一実施例においては、前記光源制御ユニットは、
光源制御チップと、第１２コンデンサと、第１３コンデンサと、第１６抵抗と、第１７抵抗と、第１８抵抗と、第１９抵抗と、第２０抵抗と、第２１抵抗と、第２２抵抗と、第９ダイオードと、第２スイッチドランジスタと、を備え、
ここで、前記光源制御チップの接地ピンと、前記第１６抵抗の第１端と、前記第１７抵抗の第１端と、前記第１２コンデンサの第１端とは共にグランドに接続され、
前記第１６抵抗の第２端と、前記第１２コンデンサの第２端と、前記第１８抵抗の第１端とは、共に前記光源制御チップの調光制御ピンに接続され、前記第１８抵抗の第２端は、定刻制御信号が入力され、
前記第１７抵抗の第２端は、前記光源制御チップの電力配置ピンに接続され、
前記光源制御チップの電源入力ピンと前記第１３コンデンサの第１端とは、共に第２直流電源に接続され、前記第１３コンデンサの第２端はグランドに接続され、
前記第２スイッチドランジスタの第１導通端は、前記光源制御チップのスイッチ制御ピンに接続され、前記第１９抵抗の第１端と前記第２０抵抗の第１端と前記第２１抵抗の第１端とは、共に前記光源制御チップのチップセレクト制御ピンに接続され、前記第１９抵抗の第２端と前記第２０抵抗の第２端と前記第２１抵抗の第２端とは共にグランドに接続され、
前記第９ダイオードのカソードと前記第２２抵抗の第１端とは、共に前記光源制御チップのスレッショルドトリガピンに接続され、前記第９ダイオードのアノードと前記第２２抵抗の第２端とは、共に前記第２スイッチドランジスタの制御端に接続され、前記第２スイッチドランジスタの第２導通端は、前記電気エネルギー処理ユニットに接続されている。
【００１１】
一実施例においては、
ユーザのキー信号に応じて、オン信号またはオフ信号を生成するように構成される信号受信ユニットと、
前記信号受信ユニット及び前記光源制御ユニットに接続され、前記オン信号に応じて起動制御信号を生成するか、または前記オフ信号に応じて前記定刻制御信号を生成するように構成される信号変換ユニットと、をさらに備え、
前記光源制御ユニットは、前記定刻制御信号に応じて前記発光モジュールの継続発光時間を記録し、前記発光モジュールの継続発光時間が予め設定された定刻時間以上であることが検出された場合、前記第２直流信号における電流をゼロになるまで徐々に減少させるように制御し、前記発光モジュールの発光輝度を予め設定された時間内に消させ、または前記起動制御信号に応じて前記発光モジュールを予め設定された発光輝度に従って発光させるように構成される。
【００１２】
一実施例においては、
給電電源及び前記光源制御ユニットに接続され、前記給電電源が出力した電気エネルギーの電圧を安定化処理し、そして前記光源制御ユニットに給電するように構成される第１給電ユニットと、
前記給電電源及び前記信号受信ユニットに接続され、前記給電電源が出力した電気エネルギーの電圧を安定化処理し、そして前記信号受信ユニットに給電するように構成される第２給電ユニットと、をさらに備える。
【００１３】
一実施例においては、前記発光モジュールの給電回路に直列に接続され、トリガ信号を受信した後に導通して前記発光モジュールを通電して発光させるように構成されるスイッチユニット、をさらに備える。
【００１４】
本出願の実施例の第２の態様は、上記の照明器具制御回路と、前記照明器具制御回路に接続されている発光モジュールと、備える照明器具を提供する。
【考案の効果】
【００１５】
上記のスリープとフェイドアウト機能を有する照明器具制御回路は、整流ユニット及び電気エネルギー処理ユニットを介して発光モジュールに電源オンすることができ、これで発光モジュールの通電安全性及び確実性が保証され、さらに発光モジュールはリアルタイムで発光することができる。発光モジュールが発光している間に、光源制御ユニットにより、発光モジュールの継続発光時間に応じて発光モジュールを制御して定刻オフを行い、発光モジュールが発光定刻オフの条件を満たす場合には、発光モジュールを自動的に制御して予め設定された時間内にフェイドアウトさせ、ユーザに光源消灯の緩衝時間を確保し、ユーザの視覚体験がより良くなり、各異なる工業技術分野の実際の視覚ニーズを満たす。したがって、本実施例は、発光モジュールの発光状態に対して定刻オフを制御することができるだけでなく、発光モジュールに対して柔軟な発光制御を行い、ユーザの実際の視覚的観賞ニーズに応じて光源輝度を徐々に低下させて消灯するまで制御することにより、ユーザの視覚により高い柔らかさを与え、発光モジュールはより高い実用価値と適用範囲を有する。
【００１６】
本出願の実施形態に係る技術的解決手段をより明らかにするために、以下、実施例または従来技術の説明に使用する必要がある図面を簡単に説明するが、明らかなことに、以下の説明における図面は、本出願のいくつかの実施例に過ぎない。当業者であれば、創造的な工夫をせず、これらの図面により他の図面を取得することができる。
【図面の簡単な説明】
【００１７】
【図１】本出願の一実施例により提供されるスリープとフェイドアウト機能を有する照明器具制御回路の構造の概略図である。
【図２】本出願の一実施例により提供される整流ユニットの回路構造の概略図である。
【図３】本出願の一実施例により提供される電気エネルギー処理ユニットの回路構造の概略図である。
【図４】本出願の一実施例により提供されるスリープとフェイドアウト機能を有する照明器具制御回路の他の構造の概略図である。
【図５】本出願の一実施例により提供される昇圧ユニットの回路構造の概略図である。
【図６】本出願の一実施例により提供される光源制御ユニットの回路構造の概略図である。
【図７】本出願の一実施例により提供されるスリープとフェイドアウト機能を有する照明器具制御回路の他の構造の概略図である。
【図８】本出願の一実施例により提供されるスリープとフェイドアウト機能を有する照明器具制御回路の他の構造の概略図である。
【図９】本出願の一実施例により提供される第１給電ユニットの回路構造の概略図である。
【図１０】本出願の一実施例により提供される第２給電ユニットの回路構造の概略図である。
【図１１】本出願の一実施例により提供される信号受信ユニットの回路構造の概略図である。
【図１２】本出願の一実施例により提供される信号変換ユニットの回路構造の概略図である。
【図１３】本出願の一実施例により提供されるスリープとフェイドアウト機能を有する照明器具制御回路の他の構造の概略図である。
【図１４】本出願の一実施例により提供される照明器具の構造の概略図である。
【考案を実施するための形態】
【００１８】
本出願の目的、技術的解決手段および利点をより明らかにするために、以下、図面および実施例に合わせて本出願をより詳細に説明する。ここで説明される具体的な実施例は本出願を解釈するためのものに過ぎず、本出願を限定するためのものではないことを理解すべきである。
【００１９】
図１は、本出願の実施例により提供されるスリープとフェイドアウト機能を有する照明器具制御回路１０の構成の概略図であり、照明器具制御回路１０は発光モジュール２０に接続され、照明器具制御回路１０によって、発光モジュール２０の光源消灯状態を柔軟に制御することができ、ユーザのハイエンドの視覚体験を満足する。説明の便宜上、本実施例に関連する部分のみが示され、詳細は以下のとおりである。
【００２０】
上記の照明器具制御回路１０は、整流ユニット１０１と、電気エネルギー処理ユニット１０２と、光源制御ユニット１０３とを備える。
【００２１】
整流ユニット１０１は交流電源に接続され、交流電源が出力した第１交流信号が入力され、第１交流信号を第１直流信号に整流するように構成される。
【００２２】
例示的に、交流電源は商用電源であり、ここで交流電源は、発光モジュールの継続的な通電ニーズを満たすために安定した交流電気エネルギーを出力する。整流ユニット１０１は整流機能を有し、交流電源が第１交流信号を整流ユニット１０１に出力する時に、整流ユニット１０１を介して第１交流信号に対してリアルタイムで整流動作を行った後、整流ユニット１０１は、予め設定された大きさを有する第１直流信号を出力することができ、第１直流信号に応じて電子部品に直流給電することができ、整流ユニット１０１は、比較的に高い電気エネルギー変換効率を有し、照明器具制御回路１０の発光モジュール２０に対する通電効率及び通電安全性を向上させることに有利である。
【００２３】
電気エネルギー処理ユニット１０２は、整流ユニット１０１及び発光モジュール２０に接続され、第１直流信号に対して電圧安定化処理及びフィルタ処理を行った後に第２直流信号を得て、発光モジュール２０に給電するように構成される。
【００２４】
ここで、整流ユニット１０１によって出力される第１直流信号には交流成分が含まれ、このような交流成分は発光モジュール２０の給電安全性に対して比較的大きな干渉を与えることがあり、そして第１直流信号にはある程度の電気エネルギー変動が存在し、発光モジュール２０の給電品質に影響を与える。したがって、電気エネルギー処理ユニット１０２によって第１直流信号に対して電圧安定化処理及びフィルタ処理を行った後、電気エネルギー処理ユニット１０２がより安定した直流電気エネルギーを出力することができ、発光モジュール２０の通電品質及び通電安全性を向上させることができる。ここで、第２直流信号の大きさは発光モジュール２０の定格給電電力と完全に一致しており、これで電気エネルギー処理ユニット１０２は発光モジュール２０にリアルタイムで効率的に給電することができ、発光モジュール２０はより高い発光効率を有することができる。
【００２５】
光源制御ユニット１０３は、電気エネルギー処理ユニット１０２に接続され、定刻制御信号に応じて発光モジュール２０の継続発光時間を記録し、発光モジュール２０の継続発光時間が予め設定された定刻時間以上であることが検出された場合、第２直流信号における電流をゼロになるまで徐々に減少させるように制御し、発光モジュール２０の発光輝度を予め設定された時間内に消させるように構成される。
【００２６】
光源制御ユニット１０３は電気エネルギー処理ユニット１０２に接続されているため、光源制御ユニット１０３を介して発光モジュール２０の電気エネルギー入力状態を取得することができ、これで発光モジュール２０の発光時間を記録及び記憶することができ、例えば、発光モジュール２０は電気エネルギー処理ユニット１０２を介して電気エネルギーが入力される場合、発光モジュール２０が発光状態にあることが示される。発光モジュール２０が電気エネルギー処理ユニット１０２を介して電気エネルギーが入力されていない場合、発光モジュール２０が断電消灯状態にあることが示され、したがって、光源制御ユニット１０３を介して電気エネルギー処理ユニット１０２が第２直流信号を出力した時間を取得し、発光モジュール２０の継続発光時間を精確に検出して記録することができ、それは発光モジュール２０の発光時間データに対して比較的簡単な時間記録手順を有し、発光モジュール２０の発光状態を定刻制御することに便利である。
【００２７】
ここで定刻制御信号には定刻駆動信号が含まれており、定刻制御信号を介して光源制御ユニット１０３を駆動して定刻機能を起動させることができ、光源制御ユニット１０３の定刻制御の精度と効率を保証する。選択的に、予め設定された定刻時間は、光源制御ユニット１０３の内部に予め記憶されているか、または外部回路コンポーネントから由来するものであり、予め設定された定刻時間はユーザの定刻時間を表している。例示的に、光源制御ユニット１０３は、定刻制御信号に応じて予め設定された定刻時間を取得し、ここで定刻制御信号には予め設定された時間情報が含まれ、そして定刻制御信号に応じて発光モジュール２０の継続発光時間をリアルタイムで制御することができ、光源制御過程は比較的に簡単である。
【００２８】
予め設定された定刻時間と発光モジュール２０の実際の継続発光時間とを比較することにより、発光モジュール２０が定刻オフの条件を満たしているか否かを判断する。例えば、発光モジュール２０の継続発光時間が予め設定された定刻時間よりも大きい場合、発光モジュール２０が自動定刻消灯を行う必要があることが示され、この時に電気エネルギー処理ユニット１０２が出力した第２直流信号中の電流をゼロになるまで徐々に減少させ、これで発光モジュール２０を予め設定された時間内に徐々に消灯させることにより、ユーザが予め設定された時間内に光源の輝度の変化規則に徐々に適応し、光源を消灯する時間内にユーザに視覚的緩衝時間を与え、ユーザの視覚体験がより良くなる。例えば、予め設定された定刻時間が２０分又は３０分である場合、光源制御ユニット１０３を介して発光モジュール２０を２０分又は３０分継続的に発光させた後に、発光モジュール２０を徐々に消灯させるように制御し、定刻で自動的にフェイドアウトする効果を実現する。発光モジュール２０の継続発光時間が予め設定された定刻時間未満である場合、発光モジュール２０は、ユーザの実際の視覚ニーズを満たすために発光し続ける。したがって、光源制御ユニット１０３は、発光モジュール２０の継続発光時間を精確に記録することができ、そして定刻フェイドアウトを行うことができ、照明器具制御回路１０の光源制御の感度及び応答速度を向上させた。
【００２９】
１つの選択可能な実施形態として、光源制御ユニット１０３は定刻制御信号を受信し、そして発光モジュール２０の継続発光時間が予め設定された定刻時間以上である場合には、光源制御ユニット１０３はスリープ信号を送信し、電気エネルギー処理ユニット１０２は予め設定された時間内においてスリープ信号を継続的に受信し、そして予め設定された電流降下規則に従って第２直流信号の電流を徐々に減少させ、これで発光モジュール２０の発光輝度を徐々に低下させ、発光モジュール２０に対するスリープとフェイドアウト効果を実現する。したがって、本実施例における光源制御ユニット１０３は、照明器具制御回路１０において、比較的に柔軟で適合性のある制御方式を有し、電気エネルギー処理ユニット１０２の電気エネルギー出力状態により、発光モジュール２０の実際の継続発光時間を精確に判断し、そして電気エネルギー出力の大きさを予め設定された時間内に徐々に低下させるように電気エネルギー処理ユニット１０２を制御することにより、発光モジュール２０の発光輝度が消灯するまで徐々に低下させ、発光モジュール２０の調光の精度及び精確性を向上させた。
【００３０】
図１に示された照明器具制御回路１０の構造の概略では、整流ユニット１０１及び電気エネルギー処理ユニット１０２と合わせて交流電気エネルギーに柔軟かつ効率的な変換を行うことができ、これで発光モジュール２０の通電安全性及び通電安定性が保証され、発光モジュール２０がより高い作業効率を有する。光源制御ユニット１０３によって発光モジュール２０の継続発光時間を精確に記録し、発光モジュール２０が定刻消灯条件を満たしているか否かを判断する。発光モジュール２０が定刻消灯条件を満たしていると判定された場合には、発光輝度を予め設定された時間内に消灯するまで徐々に減少させるように発光モジュール２０を制御する。さらに、発光モジュール２０は、予め設定された時間内にフェイドアウト式の光源消灯方式を採用することができ、ユーザに緩衝時間を与え、ユーザにより良い視覚的観賞効果を与える。これにより本実施例は、発光モジュール２０の消灯方式を柔軟かつ多様に調整することができ、ユーザのハイエンドの視覚体験ニーズを満たした。これで従来技術の照明器具が瞬間的に消灯することしかできなく、照明器具の消灯前後の輝度の急激な変化がユーザの視覚に大きな不快感を与え、ユーザの視覚体験を低下させ、実用価値が高くないという問題を効果的に解決した。
【００３１】
１つの選択可能な実施形態として、図２には本実施例により提供される整流ユニット１０１の回路構成の概略が示され、図２に示すように、整流ユニット１０１は、第１可変抵抗器ＲＶ１と、第１変圧器Ｔ１と、第２変圧器Ｔ２と、第１抵抗Ｒ１と、第２抵抗Ｒ２と、第３抵抗Ｒ３と、第１コンデンサＣ１と、第２コンデンサＣ２と、第３コンデンサＣ３と、第１インダクタＬ１と、整流ブリッジと、を備える。
【００３２】
ここで、第１可変抵抗器ＲＶ１の第１端と第１変圧器Ｔ１の一次巻線の第１端とは、共に交流電源の活線出力端に接続され、第１可変抵抗器ＲＶ１の第２端と第１変圧器Ｔ１の二次巻線の第１端とは、共に交流電源の中性線出力端に接続される。このように交流電源は、安定した交流電気エネルギーを出力して整流ユニット１０１の電気エネルギー伝送効率を保証することができる。そして、第１可変抵抗器ＲＶ１の実際の抵抗値を変化させることにより、第１交流信号の伝送効率及び伝送適合性がより高くなる。第１変圧器Ｔ１の一次巻線の第２端と第１抵抗Ｒ１の第１端と第１コンデンサＣ１の第１端とは、共に第２変圧器Ｔ２の一次巻線の第１端に接続され、第１変圧器Ｔ１の二次巻線の第２端と第２抵抗Ｒ２の第１端と第１コンデンサＣ１の第２端とは、共に第２変圧器Ｔ２の二次巻線の第１端に接続され、第１抵抗Ｒ１の第２端は、第２抵抗Ｒ２の第２端に接続されている。
【００３３】
第２変圧器Ｔ２の一次巻線の第２端は、整流ブリッジの正極入力端に接続され、第２変圧器Ｔ２の二次巻線の第２端は、整流ブリッジの負極入力端に接続されている。
【００３４】
ここで整流ブリッジは４つのダイオードを備え、この４つのダイオードはそれぞれ、ダイオードＤＳ１、ダイオードＤＳ２、ダイオードＤＳ３及びダイオードＤＳ４である。交流電源は、ダイオードの一方向導通性能を利用して活線出力端及び中性線出力端によって異なる交流電気エネルギーを出力することができるため、整流ブリッジの出力端は特定の大きさの直流エネルギーを出力することができ、交流電源が出力した交流電気エネルギーに対する整流効率と整流精度を向上させた。
【００３５】
整流ブリッジの出力端と第１インダクタＬ１の第１端と第２コンデンサＣ２の第１端とは、共に第３抵抗Ｒ３の第１端に接続され、第１インダクタＬ１の第２端と第３抵抗Ｒ３の第２端と第３コンデンサＣ３の第１端とは、共に電気エネルギー処理ユニット１０２に接続され、第２コンデンサＣ２の第２端と第３コンデンサＣ３の第２端とは共にグランドＧＮＤに接続されている。
【００３６】
選択的に、図２に示すように、整流ユニット１０１は、第１スイッチＳ１をさらに備え、第１スイッチＳ１の第１端は、第１可変抵抗器ＲＶ１の第２端と第１変圧器Ｔ１の二次巻線の第１端とに接続され、第１スイッチＳ１の第２端は、交流電源の中性線出力端に接続される。第１スイッチＳ１のオンまたはオフ状態を制御することにより、整流ユニット１０１の電気エネルギー伝送状態を変更することができ、整流ユニット１０１の整流過程の制御の柔軟性及び操作性を向上させた。
【００３７】
１つの選択可能な実施形態として、図３には本実施例により提供される電気エネルギー処理ユニット１０２の回路構成の概略が示され、図３に示すように、電気エネルギー処理ユニット１０２は、第１ダイオードＤ１と、第２ダイオードＤ２と、第３ダイオードＤ３と、第２インダクタＬ２と、第３変圧器Ｔ３と、第４コンデンサＣ４と、第４抵抗Ｒ４と、を備える。
【００３８】
第１ダイオードＤ１のカソードと、第２ダイオードＤ２のカソードと、第３ダイオードＤ３のカソードと、第４コンデンサＣ４の第１端と、第４抵抗Ｒ４の第１端と、第３変圧器Ｔ３の一次巻線の第１端とは、共に整流ユニット１０１に接続されている。
【００３９】
第１ダイオードＤ１のアノードと、第２ダイオードＤ２のアノードと、第３ダイオードＤ３のアノードと、第２インダクタＬ２の第１端とは、共に光源制御ユニット１０３に接続され、ここで第１ダイオードＤ１と、第２ダイオードＤ２と、第３ダイオードＤ３とはいずれも電圧安定化機能を有しており、これにより直流電気エネルギーの伝送安定性及び高効率性が保証されている。また、光源制御ユニット１０３は、各ダイオードを介して電気エネルギー処理ユニット１０２の直流電気エネルギーの伝達状態をリアルタイムで取得することができ、これで発光モジュール２０の電気エネルギー入力時間を迅速に得ることができる。
【００４０】
第２インダクタＬ２の第２端と第４コンデンサＣ４の第２端と第４抵抗Ｒ４の第２端とは、共に第３変圧器Ｔ３の二次巻線の第１端に接続されている。第４コンデンサＣ４の第１直流信号に対するフィルタする効果があり、これで電気エネルギー処理ユニット１０２の電気エネルギーの出力精度が保証された。
【００４１】
第３変圧器Ｔ３の一次巻線の第２端は発光モジュール２０の正極入力端に接続され、第３変圧器Ｔ３の二次巻線の第２端は発光モジュール２０の負極入力端に接続される。これで電気エネルギー処理ユニット１０２は第２直流信号を安定的に発光モジュール２０に出力することができ、これで発光モジュール２０の通電安定性及び通電効率が保証された。
【００４２】
１つの選択可能な実施形態として、図４には本実施例により提供される照明器具制御回路１０の他の構成の概略が示され、図１の照明器具制御回路１０の構成と比較すると、図４の照明器具制御回路１０は昇圧ユニット１０４をさらに備え、昇圧ユニット１０４は、整流ユニット１０１と電気エネルギー処理ユニット１０２との間に接続され、第１直流信号を昇圧処理するように構成される。
【００４３】
選択的に、昇圧ユニット１０４は、予め設定された電圧上昇率に従って第１直流信号を昇圧させることができ、そして電気エネルギー処理ユニット１０２は、昇圧された第１直流信号に対して電圧安定化処理及びフィルタ処理を行い、これで発光モジュール２０の通電効率が保証される。したがって、電気エネルギー処理ユニット１０２によって直流電気エネルギーを昇圧処理することにより、第１直流信号の伝送効率を保証することができる。したがって、本実施例の照明器具制御回路１０の内部には、電気エネルギー伝送の安定性が高く、昇圧操作を利用すると伝送中に直流電気エネルギーの損失を回避することができ、発光モジュール２０は定格の電気エネルギーが入力され、そして安全な動作状態を維持することができる。
【００４４】
１つの選択可能な実施形態として、図５には本実施例により提供される昇圧ユニット１０４の回路構成の概略が示され、図５に示すように、昇圧ユニット１０４は、昇圧制御チップＵ１と、第３インダクタＬ３と、第１スイッチドランジスタＭ１と、第４ダイオードＤ４と、第５ダイオードＤ５と、第６ダイオードＤ６と、第７ダイオードＤ７と、第８ダイオードＤ８と、第５抵抗Ｒ５と、第６抵抗Ｒ６と、第７抵抗Ｒ７と、第８抵抗Ｒ８と、第９抵抗Ｒ９と、第１０抵抗Ｒ１０と、第１１抵抗Ｒ１１と、第１２抵抗Ｒ１２と、第１３抵抗Ｒ１３と、第１４抵抗Ｒ１４と、第１５抵抗Ｒ１５と、第５コンデンサＣ５と、第６コンデンサＣ６と、第７コンデンサＣ７と、第８コンデンサＣ８と、第９コンデンサＣ９と、第１０コンデンサＣ１０と、第１１コンデンサＣ１１と、を備える。
【００４５】
ここで、第３インダクタＬ３の第１端は、昇圧ユニット１０４の電源入力端であり、第４ダイオードＤ４のアノードと、第５ダイオードＤ５のアノードと、第６ダイオードＤ６のアノードと、第１スイッチドランジスタＭ１の第１導通端とは、共に第３インダクタＬ３の第２端に接続され、第５抵抗Ｒ５の第１端と第７ダイオードＤ７のアノードとは、共に第１スイッチドランジスタＭ１の制御端に接続され、第５抵抗Ｒ５の第２端と、第７ダイオードＤ７のカソードと、第８ダイオードＤ８のカソードと、第５コンデンサＣ５の第１端と、昇圧制御チップＵ１の電源入力ピンＶＤＤとは、共に第１直流電源ＶＣＣ１に接続され、第５コンデンサＣ５の第２端はグランドＧＮＤに接続されている。
【００４６】
例えば、第１直流電源ＶＣＣ１は１Ｖ〜１０Ｖの直流電源であり、第１スイッチドランジスタＭ１をオンまたはオフに制御することにより、昇圧制御チップＵ１が安定的に通電することができ、昇圧制御チップＵ１の給電安全性及び安定性が向上された。
【００４７】
第１スイッチドランジスタＭ１の第２導通端と、第８ダイオードＤ８のアノードと、第６コンデンサＣ６の第１端とは、共に昇圧制御チップＵ１のスイッチ制御ピンＳＷに接続され、昇圧制御チップＵ１はスイッチ制御ピンＳＷを介して動作又は停止する。第６抵抗Ｒ６の第１端と第７抵抗Ｒ７の第１端とは、共に昇圧制御チップＵ１のチップセレクト制御ピンＣＳに接続され、昇圧制御チップＵ１の接地ピンはグランドＧＮＤに接続される。チップセレクト制御ピンＣＳにより昇圧制御チップＵ１を駆動して安定した昇圧機能を実現することができる。
【００４８】
例示的に、第１スイッチドランジスタＭ１は、ＭＯＳトランジスタまたは三極管である。
【００４９】
第６コンデンサＣ６の第２端と、第６抵抗Ｒ６の第２端と、第７抵抗Ｒ７の第２端と、第１３抵抗Ｒ１３の第１端と、第８コンデンサＣ８の第１端と、第７コンデンサＣ７の第１端とは共にグランドＧＮＤに接続されている。
【００５０】
第４ダイオードＤ４のカソードと、第５ダイオードＤ５のカソードと、第６ダイオードＤ６のカソードと、第８抵抗Ｒ８の第１端と、第１０抵抗Ｒ１０の第１端と、第７コンデンサＣ７の第２端とは、共に接続されて昇圧ユニット１０４の電源出力端を形成する。
【００５１】
第８抵抗Ｒ８の第２端は第９抵抗Ｒ９の第１端に接続され、第１０抵抗Ｒ１０の第２端は第１１抵抗Ｒ１１の第１端に接続され、第９抵抗Ｒ９の第２端と第１２抵抗Ｒ１２の第１端と第９コンデンサＣ９の第１端とは、共に昇圧制御チップＵ１の過電圧保護ピンＯＶＰに接続され、第１２抵抗Ｒ１２の第２端と第９コンデンサＣ９の第２端とは共にグランドＧＮＤに接続される。昇圧制御チップＵ１は、過電圧保護ピンＯＶＰにより、自身の電気エネルギーの安全性と安定性を実現することができ、昇圧制御チップＵ１が過電圧により壊れることを回避することができる。
【００５２】
第１１抵抗Ｒ１１の第２端と第１３抵抗Ｒ１３の第２端と第８コンデンサＣ８の第２端とは、共に昇圧制御チップＵ１の電圧フィードバックピンＦＢに接続されている。昇圧制御チップＵ１は、電圧フィードバックピンＦＢを介して第１直流信号の大きさを調整することができ、第１直流信号の効率的な昇圧機能を実現した。
【００５３】
第１４抵抗Ｒ１４の第１端と第１０コンデンサＣ１０の第１端とは、共に昇圧制御チップＵ１の電圧補償制御ピンＣＯＭＰに接続され、第１４抵抗Ｒ１４の第２端は第１１コンデンサＣ１１の第１端に接続され、第１１コンデンサ１１の第２端と第１０コンデンサＣ１０の第２端とは共にグランドＧＮＤに接続される。昇圧制御チップＵ１は、電圧補償ピンＣＯＭＰにより、自身の電気エネルギー適用範囲を維持することができ、昇圧制御チップＵ１は常に定格電力で動作状態を維持することができる。
【００５４】
第１５抵抗Ｒ１５の第１端は昇圧制御チップＵ１の温度調整ピンＲＴＨに接続され、第１５抵抗Ｒ１５の第２端はグランドＧＮＤに接続され、温度調整ピンＲＴＨを介して昇圧制御チップＵ１が過温度により壊れることを回避することができ、昇圧制御チップＵ１の動作安全性と適合性を向上させた。
【００５５】
昇圧ユニット１０４の電源入力端は整流ユニット１０１に接続され、昇圧ユニット１０４の電源出力端は電気エネルギー処理ユニット１０２に接続される。整流ユニット１０１が第１直流信号を昇圧ユニット１０４に出力する時、昇圧ユニット１０４は第１直流信号を柔軟に昇圧することができ、このように照明器具制御回路１０の内部の電気エネルギー伝送効率及び電気エネルギー伝送精度が保証される。
【００５６】
例示的に、昇圧制御チップＵ１のモデルはＢＰ２６０８であり、これにより昇圧ユニット１０４は比較的に簡単な回路構成を有し、発光モジュール２０に対する通電効率が向上され、実用価値が高い。
【００５７】
１つの選択可能な実施形態として、図６には本実施例により提供される光源制御ユニット１０３の回路構成の概略が示され、図６に示すように、光源制御ユニット１０３は、光源制御チップＵ２と、第１２コンデンサＣ１２と、第１３コンデンサＣ１３と、第１６抵抗Ｒ１６と、第１７抵抗Ｒ１７と、第１８抵抗１８と、第１９抵抗Ｒ１９と、第２０抵抗Ｒ２０と、第２１抵抗Ｒ２１と、第２２抵抗Ｒ２２と、第９ダイオードＤ９と、第２スイッチドランジスタＭ２と、を備える。
【００５８】
ここで、光源制御チップＵ２の接地ピンと、前記第１６抵抗Ｒ１６の第１端と、前記第１７抵抗Ｒ１７の第１端と、前記第１２コンデンサＣ１２の第１端とは共にグランドＧＮＤに接続されている。
【００５９】
第１６抵抗Ｒ１６の第２端と第１２コンデンサＣ１２の第２端と第１８抵抗Ｒ１８の第１端とは、共に光源制御チップＵ２の調光制御ピンＤＩＭに接続され、第１８抵抗Ｒ１８の第２端は定刻制御信号が入力される。ここでパルス変調信号には特定の調光情報が含まれており、光源制御チップＵ２の調光制御ピンＤＩＭはパルス変調信号が入力された時に、パルス変調信号を介して光源制御チップＵ２の信号変換状態を変更することができ、そして発光モジュール２０の発光状態を柔軟に調整することができる。
【００６０】
第１７抵抗Ｒ１７の第２端は光源制御チップＵ２の電力配置ピンＢＰＤに接続されている。電力配置ピンＢＰＤを介して光源制御チップＵ２の電気エネルギー安定性を保証することができ、光源制御チップＵ２を安定した動作状態にすることができる。
【００６１】
光源制御チップＵ１の電源入力ピンＶＣＣと第１３コンデンサＣ１３の第１端とは、共に第２直流電源ＶＣＣ２に接続され、第１３コンデンサＣ１３の第２端はグランドＧＮＤに接続される。選択的に、第２直流電源ＶＣＣ２は１Ｖ〜１０Ｖの直流電源であり、第２直流電源ＶＣＣ２を介して安定した直流電気エネルギーを出力することができ、これで光源制御チップＵ１を安定的に通電することができ、光源制御ユニット１０３はより高い給電安全性と効率性を備える。
【００６２】
第２スイッチドランジスタＭ２の第１導通端は光源制御チップＵ２のスイッチ制御ピンＳＷに接続され、スイッチ制御ピンＳＷを介して光源制御チップＵ２を動作または停止させることができ、光源制御ユニット１０３の動作状態調整感度を向上させた。第１９抵抗Ｒ１９の第１端と第２０抵抗Ｒ２０の第１端と第２１抵抗Ｒ２１の第１端とは、共に光源制御チップＵ２のチップセレクト制御ピンＣＳに接続され、第１９抵抗Ｒ１９の第２端と第２０抵抗Ｒ２０の第２端と第２１抵抗Ｒ２１の第２端とは、共にグランドＧＮＤに接続されている。チップセレクト制御ピンＣＳを介して光源制御チップＵ２の調光制御性能を変更することができ、光源制御チップＵ２の適合性を向上させた。
【００６３】
第９ダイオードＤ９のカソードと第２２抵抗Ｒ２２の第１端とは、共に光源制御チップＵ２のスレッショルドトリガピンＧＡＴＥに接続され、第９ダイオードＤ９のアノードと第２２抵抗Ｒ２２の第２端とは、共に第２スイッチドランジスタＭ２の制御端に接続され、第２スイッチドランジスタＭ２の第２導通端は、電気エネルギー処理ユニット１０２に接続されている。
【００６４】
例示的には、第２スイッチドランジスタＭ２がＭＯＳトランジスタまたは三極管であり、調光制御チップＵ２は、スレッショルドトリガピンＧＡＴＥを介して電気エネルギー処理ユニット１０２の電気エネルギー出力状態を取得することができる。そして、調光制御チップＵ２は、発光モジュール２０の継続発光時間と予め設定された定刻時間との間の相違状況に応じて、第２スイッチドランジスタＭ２の電流伝送状態を制御し、これにより予め設定された時間内に発光モジュール２０の光源フェイドアウト制御機能を完了させ、発光モジュール２０に対する光源消灯制御の柔軟性及び効率性を向上させた。
【００６５】
例示的に、調光制御チップＵ２のモデルは、ＢＰ２８７８である。このため、本実施例では、定刻制御信号を介して調光制御チップＵ２を駆動して、発光モジュール２０を調光制御し定刻シェードアウトを行うことを実現することができ、ユーザの視覚効果を保証した。
【００６６】
１つの選択可能な実施形態として、図７には本実施例により提供される照明器具制御回路１０の他の構成の概略が示され、図１の照明器具制御回路１０の構成と比較すると、図７の照明器具制御回路１０は信号受信ユニット１０５と、信号変換ユニット１０６とをさらに備え、このうち、信号受信ユニット１０５は、ユーザのキー信号に応じて、オン信号またはオフ信号を生成するように構成される。
【００６７】
ここで、キー信号にはユーザの調光制御情報が含まれており、信号受信ユニット１０５を介してキー信号を識別して変換した後、オン信号またはオフ信号を出力することができ、このうち、オン信号には回路オン情報が含まれ、オフ信号には回路オフ情報が含まれており、そして信号受信ユニット１０５がキー信号をリアルタイムで変換することにより、発光モジュール２０に対して対応する光源制御を行うことができ、照明器具制御回路１０の光源調整の柔軟性と光源の取り扱い性を保証した。
【００６８】
信号変換ユニット１０６は、信号受信ユニット１０５及び光源制御ユニット１０３に接続され、オン信号に応じて起動制御信号を生成するか、またはオフ信号に応じて定刻制御信号を生成するように構成される。
【００６９】
ここで、信号変換ユニット１０６は、オン信号またはオフ信号に対してフォーマット変換を行うことができ、これにより光源制御ユニット１０３が起動制御信号または定刻制御信号に基づいて、発光モジュール２０の発光状態をリアルタイムで調整することにより、照明器具制御回路１０内の信号変換効率が高くなり、発光モジュール２０に対する光源制御効率が保証された。
【００７０】
光源制御ユニット１０３は、定刻制御信号に応じて発光モジュール２０の継続発光時間を記録するために使用され、発光モジュール２０の継続発光時間が予め設定された定刻時間以上であることが検出された場合、第２直流信号における電流をゼロになるまで徐々に減少させるように制御し、発光モジュール２０の発光輝度を予め設定された時間内に消させ、または起動制御信号に応じて発光モジュール２０を予め設定された発光輝度に従って発光させるように構成される。
【００７１】
本実施例では、光源制御ユニット１０３は高い制御応答性能を有し、一方では、定刻制御信号に応じて光源制御ユニット１０３を駆動して定刻フェイドアウト制御を行うことができ、これにより消灯過程中に発光モジュール２０がより良い視覚体験をユーザに提供することが保証される。他方では、起動制御信号に応じて光源制御ユニット１０３を駆動して発光制御を行うことができ、これにより発光モジュール２０が予め設定された光強度で発光し、発光モジュール２０の発光瞬間における発光の適合性を向上させた。例示的に、信号変換ユニット１０６が起動制御信号を光源制御ユニット１０３に出力する時に、光源制御ユニット１０３が起動制御信号に従って電気エネルギー処理ユニット１０２を制御してオンさせ、発光モジュール２０は電気エネルギー処理ユニット１０２を介して予め設定された大きさの電流が入力され、そして発光してユーザの光源の視覚的ニーズを満たした。これにより、照明器具制御回路１０の光源制御感度及び取り扱い性が格段に向上された。
【００７２】
１つの選択可能な実施形態として、発光モジュール２０が発光する時に、信号受信ユニット１０５は、ユーザのキー信号に応じて段階制御信号を生成するために使用され、信号変換ユニット１０６は段階制御信号に基づいて調光制御信号を生成し、光源制御ユニット１０３は調光制御信号に基づいて発光モジュール２０の段階を変更し、発光モジュール２０が異なる段階にある場合、発光モジュール２０は異なる輝度で発光し、発光モジュール２０の輝度調整の柔軟性を保証した。例えば、発光モジュール２０は、１０段階の発光輝度の選択肢を有し、キー信号には異なる輝度調整情報が含まれており、信号受信ユニット１０５及び信号変換ユニット１０６の両方の信号変換を経た後、光源制御ユニット１０３は、調光制御信号に基づいて電気エネルギー処理ユニット１０２が出力する電流の大きさを調整し、発光モジュール２０は異なる大きさの電流が入力された時に、発光モジュール２０は異なる輝度で発光し、これにより発光モジュール２０の複数段階の調光過程を完成する。したがって、本実施例では、光源制御ユニット１０３を介して発光モジュール２０の輝度を異なる動作時間内で適応調整することができ、発光モジュール２０の発光輝度調整感度が保証され、発光モジュール２０が射出する光は各産業技術分野のニーズに適用することができる。
【００７３】
１つの選択可能な実施形態として、図８には本実施例により提供される照明器具制御回路１０の他の構成図が示され、図７の照明器具制御回路１０の構成の概略と比較すると、図８の照明器具制御回路１０は、第１給電ユニット１０７と第２給電ユニット１０８とをさらに備えている。第１給電ユニット１０７は給電電源及び光源制御ユニット１０３に接続され、給電電源が出力した電気エネルギーに対して電圧安定化処理を行い、そして光源制御ユニット１０３に給電するように構成される。ここで、給電電源は大容量の給電電気エネルギーを出力することができ、第１給電ユニット１０７を介して給電電気エネルギーの干渉量を除去することができ、第１給電ユニット１０７によって出力された電圧安定化処理後の電気エネルギーは、光源制御ユニット１０３を定格電力で通電させ、光源制御ユニット１０３の電気エネルギーの安定性と確実性を向上させるのに有利である。
【００７４】
第２給電ユニット１０８は、給電電源及び信号受信ユニット１０５に接続され、給電電源が出力した電気エネルギーに対して電圧安定化処理を行い、そして信号受信ユニット１０５に給電するように構成される。ここで、第２給電ユニット１０８は、電気エネルギーの電圧安定化処理を実現することができ、そして第２給電ユニット１０８が出力した電気エネルギーの大きさは、信号受信ユニット１０５の定格給電ニーズを完全に満たすことができ、これにより信号受信ユニット１０５の通電安全性を保証し、そして信号受信ユニット１０５を介して間接的に発光モジュール２０に対して安定した発光調整を行うことができる。
【００７５】
１つの選択可能な実施形態として、図９には本実施例により提供される第１給電ユニット１０７の回路構成の概略が示され、図９に示すように、第１給電ユニット１０７は、第１電圧安定化チップＵ３と、第１０ダイオードＤ１０と、第１１ダイオードＤ１１と、第１４コンデンサＣ１４と、第１５コンデンサＣ１５と、第１６コンデンサＣ１６と、第２３抵抗Ｒ２３と、第２４抵抗Ｒ２４と、第２５抵抗Ｒ２５と、第２６抵抗Ｒ２６と、第２７抵抗Ｒ２７と、第４インダクタＬ４と、を備える。
【００７６】
第１０ダイオード１０のアノードは給電電源に接続され、第１０ダイオードＤ１０のカソードと第１４コンデンサＣ１４の第１端とは、共に第１電圧安定化チップＵ３の電源駆動ピンＤＲＡＮに接続され、第１４コンデンサＣ１４の第２端はグランドＧＮＤに接続される。選択的に、給電電源は１Ｖ〜１０Ｖの直流電源であり、給電電気エネルギーを出力し、第１電圧安定化チップＵ３は電気エネルギーの電圧を安定化することができ、第１給電ユニット１０７の電気エネルギー変換効率を向上させた。
【００７７】
第１電圧安定化チップＵ３の電源入力ピンＶＣＣは第１５コンデンサＣ１５の第１端に接続され、第１５コンデンサＣ１５の第２端と第１電圧安定化チップＵ３のグランドピンとは共にグランドＧＮＤに接続されている。
【００７８】
第２３抵抗Ｒ２３の第１端と第２４抵抗Ｒ２４の第１端とは、共に第１電圧安定化チップＵ３の電圧フィードバックピンＦＢに接続され、これにより第１電圧安定化チップＵ３は、電圧フィードバックピンＦＢを介して安定した電気エネルギーを出力する。第２４抵抗Ｒ２４の第２端は第１１ダイオードＤ１１のカソードに接続され、第２５抵抗Ｒ２５の第１端と、第２６抵抗Ｒ２６の第１端と、第２７抵抗Ｒ２７の第１端と、第１６コンデンサＣ１６の第１端と、第４インダクタＬ４の第１端とは、共に第１１ダイオードＤ１１のアノードに接続され、第４インダクタＬ４の第２端と第２３抵抗Ｒ２３の第２端とは、共にグランドＧＮＤに接続され、第２５抵抗Ｒ２５の第２端と第１６コンデンサＣ１６の第２端とは、共にグランドＧＮＤに接続されている。
【００７９】
第２７抵抗Ｒ２７の第２端は光源制御ユニット１０３に接続され、第２６抵抗Ｒ２６の第２端は光源制御ユニット１０３に接続されている。
【００８０】
選択的に、第１電圧安定化チップＵ３のモデルは、ＬＭ３３６シリーズまたはＬＭ２９４０シリーズである。
【００８１】
１つの選択可能な実施形態として、図１０には本実施例により提供される第２給電ユニット１０８の回路構成の概略が示され、図１０に示すように、第２給電ユニット１０８は、第２電圧安定化チップＵ４と、第１７コンデンサＣ１７と、第１８コンデンサＣ１８と、第１９コンデンサＣ１９と、第１２ダイオードＤ１２と、第１３ダイオードＤ１３と、第５インダクタＬ５と、第２８抵抗Ｒ２８と、第２９抵抗Ｒ２９と、第３０抵抗Ｒ３０と、を備える。
【００８２】
ここで、第１２ダイオードＤ１２のアノードは給電電源ＶＢＵＳに接続され、第１２ダイオードＤ１２のカソードと第１７コンデンサＣ１７の第１端とは、共に第２電圧安定化チップＵ４の電源駆動ピンＤＲＡＮに接続され、第１７コンデンサＣ１７の第２端はグランドＧＮＤに接続されている。
【００８３】
第１８コンデンサＣ１８の第１端は第２電圧安定化チップＵ４の電源入力ピンＶＣＣに接続され、第１８コンデンサＣ１８の第２端と第２電圧安定化チップＵ４の接地ピンとは共にグランドに接続されている。
【００８４】
第２８抵抗Ｒ２８の第１端と第２９抵抗Ｒ２９の第１端とは、共に第２電圧安定化チップＵ４の電圧フィードバックピンＦＢに接続され、第２９抵抗Ｒ２９の第２端は第１３ダイオードＤ１３のカソードに接続され、第１３ダイオードＤ１３のアノードと、第５インダクタＬ５の第１端と、第１９コンデンサＣ１９の第１端と、第３０抵抗Ｒ３０の第１端とは、共に信号受信ユニット１０５に接続され、第５インダクタＬ５の第２端と第２８抵抗Ｒ２８の第２端とは、共にグランドＧＮＤに接続されている。第１９コンデンサＣ１９の第２端と第３０抵抗Ｒ３０の第２端とは共にグランドＧＮＤに接続されている。
【００８５】
例示的に、第２電圧安定化チップＵ４のモデルは、ＬＭ３３６シリーズまたはＬＭ２９４０シリーズである。
【００８６】
１つの選択可能な実施形態として、図１１には本実施例により提供される信号受信ユニット１０５の回路構成の概略が示され、信号受信ユニット１０５は、信号受信チップＵ５と第３１抵抗Ｒ３１とを備えている。ここで、信号受信チップＵ５の信号受信ピンはキー信号が受信され、信号受信チップＵ５の接地ピンはグランドＧＮＤに接続され、第３１抵抗Ｒ３１の第１端と信号受信チップＵ５の電源入力ピンとは、共に第３直流電源ＶＣＣ３に接続されている。選択的に、第３直流電源ＶＣＣ３は１Ｖ〜１０Ｖ直流電源であり、第３直流電源ＶＣＣ３によって出力される直流電気エネルギーは、信号受信チップＵ５の動作安定性を保証することができ、発光モジュール２０に対する高効率な光源制御を実現した。第３１抵抗Ｒ３１の第２端と信号受信チップＵ５の信号入力ピンとは、共に信号変換ユニット１０５に接続されている。図１１に示すように、信号受信チップＵ５の信号出力ピンは第４ピンであり、信号受信チップＵ５の電源入力ピンは第１ピンであり、信号受信チップＵ５の接地ピンは第２ピンであり、信号受信チップＵ５の信号出力ピンは第３ピンである。
【００８７】
例示的には、信号受信チップＵ５のモデルはＥＣ０２２Ｋであり、信号受信チップＵ５を介してユーザのキー情報をリアルタイムで効率的に変換及び伝送することができる。
【００８８】
１つの選択可能な実施形態として、図１２には本実施例により提供される信号変換ユニット１０６の回路構成の概略が示され、信号変換ユニット１０６は、信号変換チップＵ６と、第２０コンデンサＣ２０とを備えている。ここで信号変換チップＵ６の電源入力ピンと第２０コンデンサＣ２０の第１端とは、共に第４直流電源ＶＣＣ４に接続されており、選択的に、第４直流電源ＶＣＣ４は１Ｖ〜１０Ｖ直流電源であり、第４直流電源ＶＣＣ４によって出力される直流エネルギーは、信号変換チップＵ６の信号変換安定性を保証することができる。信号変換チップＵ６の接地ピンと第２０コンデンサＣ２０の第２端とは共にグランドＧＮＤに接続され、信号変換チップＵ６の信号入力ピンは信号受信ユニット１０５に接続され、信号変換チップＵ６の信号出力ピンは光源制御ユニット１０３に接続される。図１２に示すように、信号変換チップＵ６の電源入力ピンは第１ピンであり、信号変換チップＵ６の接地ピンは第８ピンであり、信号変換チップＵ６の信号入力ピンは第４ピンであり、信号変換チップＵ６の信号出力ピンは第５ピンである。
【００８９】
例示的に、信号変換チップＵ６のモデルは、ＵＣ３８４６またはＳＭ８０１５である。
【００９０】
１つの選択可能な実施形態として、図１３には本実施例により提供される照明器具制御回路１０の他の構成の概略が示され、図１の照明器具制御回路１０の構成と比較すると、図１３の照明器具制御回路１０はスイッチユニット１０９をさに備え、スイッチユニット１０９は発光モジュール２０の給電回路に直列に接続され、トリガ信号を受信した後に導通して発光モジュール２０を通電して発光させるように構成される。
【００９１】
例示的には、スイッチユニット１０９は、整流ユニット１０１と電気エネルギー処理ユニット１０２との間のブランチに直列に接続されてもよく、または、スイッチユニット１０９は、電気エネルギー処理ユニット１０２と発光モジュール２０との間のブランチに直列に接続されてもよいので、スイッチユニット１０９はより柔軟な接続形態を有している。スイッチユニット１０９がトリガされてオンされる場合、発光モジュール２０の給電回路が閉じられ、発光モジュール２０は第２直流信号が入力されて発光機能を実現する。スイッチユニット１０９がオフされる場合、発光モジュール２０の電源回路が開けられ、発光モジュール２０は第２直流信号が入力されることができず、発光することができない。このため、本実施例では、トリガ信号を介して発光モジュール２０の給電回路を導通させることができ、発光モジュール２０の通電安全性及び操作の簡便性を保証し、発光モジュール２０はユーザの実際のニーズに応じて発光又は消灯することができ、光源制御応答精度が高い。
【００９２】
例示的に、スイッチユニット１０９は、壁上制御スイッチであり、それで、トリガ信号を介して、壁上制御スイッチのオン状態またはオフ状態を迅速に変化させることができ、ユーザは、発光モジュール２０の電気エネルギー入力状態を任意に制御することができ、発光モジュール２０の発光状態は、より簡略化された調整ステップを有し、ユーザに非常に大きな光源調整の利便性を与え、本実施例における照明器具制御回路１０は、比較的に高い通電制御柔軟性を有し、ユーザの調光制御体験を向上させた。
【００９３】
図１４には本実施例により提供される照明器具１４０の構成の概略が示され、図１４に示すように、照明器具１４０は、上記のような照明器具制御回路１０と、発光モジュール２０とを備え、発光モジュール２０は照明器具制御回路１０に接続されている。選択的に、発光モジュール２０は、赤色のランプビード、緑色のランプビード及び青色のランプビードのうちの少なくとも１つを含む。照明器具制御回路１０を介して、発光モジュール２０に安全な給電を行い、照明器具１４０の通電安全性と動作安定性を保証することができるだけでなく、照明器具制御回路１０介して発光モジュール２０に対して定刻フェイドアウト制御を行うことができ、発光モジュール２０が消灯過程で射出する光はユーザの観賞習慣に完全に適合し、ユーザにより良い視覚体験を与えることができる。このため、本実施例の照明器具１４０は、柔軟な光源消灯制御を実現することができ、ユーザのハイエンドの視覚体験ニーズを満たすことにより、従来技術では照明器具を瞬間的に消灯するしかできず、ユーザの視覚体験が良くなく、発光モジュール２０の発光状態を適応的かつ柔軟に調整することができなく、実用価値及び適用範囲が低いという問題を効果的に解決することができる。
【００９４】
本明細書では、さまざまなデバイス、回路、装置、システム、および／または方法についてさまざまな実施形態を説明した。明細書で説明されるおよび図面に示されるような実施形態の全体構成、機能、製造および使用が完全に理解されるために、いろいろな特定の詳細な部分を提供した。ところが、当業者であれば、実施形態はこのような特定の詳細な部分が無くても実施が可能であることを理解するだろう。他の実施形態では、明細書での実施形態を理解しにくいことを回避するために、周知の動作、構成要素および要素が詳細に記述された。当業者であれば、本明細書および図示される実施形態は非限定的な例であり、そして本明細書で開示される特定の構造および機能の詳細は代表的であり、必ずしも実施形態の範囲を限定するものではないことを理解するだろう。
【００９５】
説明書全体において、「種々の実施形態」、「実施形態において」、「一実施形態」、または「実施形態」などの参照は、実施形態について説明した特定の特徴、構造または特性が少なくとも一実施形態に含まれることを意味する。したがって、用語「さまざまな実施形態において」、「いくつかの実施形態において」、「一実施形態において」、または「実施形態において」などの説明書全体における適切な場所の出現は必ずしも同一の実施形態を指すものではない。また、特定の特徴、構造または特性は１つまたは複数の実施形態で任意の適切な方法で組み合わせることができる。したがって、一実施形態に関して示したり記述したりする特定の特徴、構造または特性は、１つまたは複数の他の実施形態の特徴、構造または特性と全部または部分的に組み合わせられてもよく、このような組み合わせが論理的でないか、機能的でないかの制約ではないと仮定していない。任意の方向参照（例えば、プラス、マイナス、上部、下部、上に、下に、左、右、左に、右に、頂部、底部、○○の上、○○の下、垂直、水平、時計回り、および反時計回り）は、本開示の内容を読者に理解させるための識別の目的のために使用され、特に、実施形態に関する位置、方向性、または使用を制限することはない。
【００９６】
上記は、いくつかの実施形態について詳細な程度で説明したが、当業者は、本開示の範囲から逸脱することなく、開示された実施形態に多くの変更を行うことができる。接続の参照（例えば、着接、結合、接続など）は、広く解釈されるべきであり、要素の接続間の中間部材と要素間の相対運動を含むことができる。したがって、接続の参照は、必ずしも２つの要素が直接的に接続／結合され、互いに固定関係にあることを意味するものではない。「例えば」の説明書全体での使用は、広く説明され、そして本開示の実施形態の非限定的な例を提供するために使用されるべきであり、且つ本開示は、このような例に限定されない。上記の説明に含まれるか、または図面に示されるすべての事項は、限定ではなく例示のみとして解釈されるべきであることが意図されている。本開示から逸脱することなく、詳細または構造の変更を行うことができる。
【００９７】
上記は本出願の好適な実施例に過ぎず、本出願を限定するためのものではなく、本出願の精神および原則の範疇においてなされたあらゆる修正、等価置換及び改良などは、本出願の保護範囲に含まれるはずである。
【符号の説明】
【００９８】
１０  照明器具制御回路
２０  発光モジュール
１０１  整流ユニット
１０２  電気エネルギー処理ユニット
１０３  光源制御ユニット
【図１】
0003231207.tif 000003
【図２】
0003231207.tif 000004
【図３】
0003231207.tif 000005
【図４】
0003231207.tif 000006
【図５】
0003231207.tif 000007
【図６】
0003231207.tif 000008
【図７】
0003231207.tif 000009
【図８】
0003231207.tif 000010
【図９】
0003231207.tif 000011
【図１０】
0003231207.tif 000012
【図１１】
0003231207.tif 000013
【図１２】
0003231207.tif 000014
【図１３】
0003231207.tif 000015
【図１４】
0003231207.tif 000016